(57)【特許請求の範囲】
【請求項１】
ＢＣＡコード記録装置製造メーカのコンピュータが発行するＢＣＡコード記録装置毎の固有シリアルＩＤ（ａ）と、ライセンス管理団体のコンピュータが前記固有シリアルＩＤ（ａ）毎に発行して送信するＢＣＡ設備キー（ｂ）及び光ディスクに記録されるタイトル毎に発行して送信するメディアキー（ｃ）と、を入力とするＢＣＡコード記録装置がＢＣＡコードをＢＣＡ設備コントローラの制御によって光ディスクに記録する光ディスク管理システムであって、  前記ＢＣＡコード記録装置が、前記固有シリアルＩＤ（ａ）を記憶する内蔵メモリ機能部と、前記ライセンス管理団体のコンピュータからＢＣＡ設備キー（ｂ）を受信して記憶する外部メモリ機能部とを備え、前記ＢＣＡ設備コントローラが、前記ライセンス管理団体のコンピュータから前記メディアキー（ｃ）を受信する機能部と、光ディスクに記録されるタイトル毎に付与されたＢＣＡデータを記憶する機能部とを備え、前記ＢＣＡコード記録装置に、前記内蔵メモリ機能部に格納した固有シリアルＩＤ（ａ）と前記外部メモリ機能部に記憶したＢＣＡ設備キー（ｂ）とが所定の関係にあるときのみにＢＣＡコード記録を許可する機能部と、前記受信したメディアキー（ｃ）と前記外部メモリ機能部に記憶したＢＣＡ設備キー（ｂ）とに基づいて特殊暗号キー（ｅ）を生成させる機能部と、前記生成した特殊暗号キー（ｅ）を前記ＢＣＡデータに含ませて光ディスクに記録させる機能部とを備えたことを特徴とする光ディスク管理システム。
【請求項２】
前記外部メモリ機能部に記憶したＢＣＡ設備キー（ｂ）が、前記ＢＣＡコード記録装置が設置された工場の稼働日のみ、前記ＢＣＡコード記録を許可する機能部からのアクセスが可能に設定されている請求項１記載の光ディスク管理システム。
【請求項３】
ＢＣＡコード記録装置製造メーカのコンピュータが発行するＢＣＡコード記録装置毎の固有シリアルＩＤ（ａ）と、ライセンス管理団体のコンピュータが前記固有シリアルＩＤ（ａ）毎に発行して送信するＢＣＡ設備キー（ｂ）及び光ディスクに記録されるタイトル毎に発行して送信するメディアキー（ｃ）と、を入力とするＢＣＡコード記録装置がＢＣＡコードをＢＣＡ設備コントローラの制御によって光ディスクに記録する光ディスク管理システムの管理方法であって、  前記ＢＣＡコード記録装置に、前記固有シリアルＩＤ（ａ）を記憶する内蔵メモリ機能と、前記ライセンス管理団体のコンピュータからＢＣＡ設備キー（ｂ）を受信して記憶する外部メモリ機能を実行させ、  前記ＢＣＡ設備コントローラに、前記ライセンス管理団体のコンピュータから前記メディアキー（ｃ）を受信する機能と、光ディスクに記録されるタイトル毎に付与されたＢＣＡデータを記憶する機能とを実行させ、  前記ＢＣＡコード記録装置に、前記内蔵メモリ機能によって格納した固有シリアルＩＤ（ａ）と前記外部メモリ機能によって記憶したＢＣＡ設備キー（ｂ）とが所定の関係にあるときのみにＢＣＡコード記録を許可する機能と、前記受信したメディアキー（ｃ）と前記外部メモリ機能によって記憶したＢＣＡ設備キー（ｂ）とに基づいて特殊暗号キー（ｅ）を生成させる機能と、前記生成した特殊暗号キー（ｅ）を前記ＢＣＡデータに含ませて光ディスクに記録させる機能とを実行させることによって、  前記ＢＣＡ設備コントローラが、前記内蔵メモリ機能によって記憶した固有シリアルＩＤ（ａ）とＢＣＡ設備キー（ｂ）とが所定の関係にあるときのみに前記特殊暗号キーｅを含ませたＢＣＡコード記録をＢＣＡコード記録装置に許可することを特徴とする光ディスク管理システムの管理方法。
【請求項４】
前記外部メモリ機能によって記憶したＢＣＡ設備キー（ｂ）が、前記ＢＣＡコード記録装置が設置された工場の稼働日のみ、前記ＢＣＡコード記録を許可する機能からのアクセスが可能に設定されている請求項３記載の光ディスク管理システムの管理方法。
【発明の詳細な説明】
【技術分野】
【０００１】
本発明は、光ディスクの不正製造及び不正再生を防止する光ディスク管理システム及び光ディスク管理方法に関する。
【背景技術】
【０００２】
一般に光ディスクと呼ばれる記録媒体には、スタンピング技術によりデータが予め記録される再生専用ディスク（ＣＤ-ＲＯＭ、ＤＶＤ-ＲＯＭ等）、色素系記録膜の反射率を変化させることによりデータの記録を行う追記型ディスク（ＣＤ−Ｒ、ＤＶＤ−Ｒ等）、相変化記録膜の反射率を変化させることによりデータの記録を行う書換え型ディスク（ＣＤ-ＲＷ、ＤＶＤ-ＲＷ、ＤＶＤ-ＲＡＭ等）が知られている。  
【０００３】
前記多種光ディスクの中で特にＤＶＤディスクにおいては、ディスク最内周にＢＣＡ（Ｂｕｒｓｔ  Ｃｕｔｔｉｎｇ  Ａｒｅａ）コードなるバーコード状のデータが記録される場合がある。このＢＣＡコードは、主に著作権保護を目的とし、ディスク製造過程又は製造後に記録される。記録方法はＤＶＤ種別によって異なり、例えば再生専用のＤＶＤ-ＲＯＭディスクの場合は高出力レーザを使用した専用装置（以下、ＢＣＡコード記録装置と呼ぶ）により、ディスクの反射膜の一部を放射線状に除去（焼き切る）ことで記録マークを形成する。また、追記型のＤＶＤ-Ｒにおいては、前記ＢＣＡコード記録装置を用い、記録膜の色素(反射率)変化によりマークを記録することが可能であり、書換え型のＤＶＤ−ＲＷ、ＤＶＤ−ＲＡＭにおいては、相変化記録膜の結晶化工程で用いられている初期化装置により、未結晶部分を放射線状に残留させることで記録マークを形成することが一般的となっている。  尚、このＢＣＡコードに関する技術が記載された文献としては、例えば下記特許文献が挙げられる。
【特許文献１】特開平１０−２３３０１９号公報
【特許文献２】特開２００１−７６３４５号公報
【発明の開示】
【発明が解決しようとする課題】
【０００４】
前記ＢＣＡコードが記録された光ディスクは、近年のコンピュータ技術の発展により、ある程度の技術力を持った者が容易に不正コピーを行うことができる。特に近年ではコスト削減のために海外工場にて光ディスクの製造を行うことが多々あり、この場合、仮に不正利用者が正規の光ディスク製造装置を用いて休日等に不正に光ディスクの製造を行った場合、その製造された光ディスクが不正に製造されたものなのか正規に製造された光ディスクなのかを判別することが困難であると言う不具合もあった。特に当該不正製造の問題は、例えば版権を持つライセンシーから所定数量の製造が許諾された映画情報を含むＤＶＤの場合、許諾を受けた製造工場がライセンスの範囲を超えた数量が市場に出回った場合、不正に製造されたことを立証することが困難であると言う不具合があった。  
【０００５】
本発明の目的は、前述の従来技術による不具合を除去することであり、光ディスクの不正製造及び不正再生を防止することができる、光ディスク管理システム及び光ディスク管理方法を提供することである。
【課題を解決するための手段】
【０００６】
前記目的を達成するために請求項１記載の発明は、ＢＣＡコード記録装置製造メーカのコンピュータが発行するＢＣＡコード記録装置毎の固有シリアルＩＤ（ａ）と、ライセンス管理団体のコンピュータが前記固有シリアルＩＤ（ａ）毎に発行して送信するＢＣＡ設備キー（ｂ）及び光ディスクに記録されるタイトル毎に発行して送信するメディアキー（ｃ）と、を入力とするＢＣＡコード記録装置がＢＣＡコードをＢＣＡ設備コントローラの制御によって光ディスクに記録する光ディスク管理システムであって、  前記ＢＣＡコード記録装置が、前記固有シリアルＩＤ（ａ）を記憶する内蔵メモリ機能部と、前記ライセンス管理団体のコンピュータからＢＣＡ設備キー（ｂ）を受信して記憶する外部メモリ機能部とを備え、  前記ＢＣＡ設備コントローラが、前記ライセンス管理団体のコンピュータから前記メディアキー（ｃ）を受信する機能部と、光ディスクに記録されるタイトル毎に付与されたＢＣＡデータを記憶する機能部と、前記内蔵メモリ機能部に格納した固有シリアルＩＤ（ａ）と前記外部メモリ機能部に記憶したＢＣＡ設備キー（ｂ）とが所定の関係にあるときのみにＢＣＡコード記録を許可する機能部と、前記受信したメディアキー（ｃ）と前記外部メモリ機能部に記憶したＢＣＡ設備キー（ｂ）とに基づいて特殊暗号キー（ｅ）をＢＣＡコード記録装置製造メーカのコンピュータに生成させ、前記生成した特殊暗号キー（ｅ）を前記ＢＣＡデータに含ませて光ディスクに記録させる機能部とを備えたことを特徴とする。
【０００７】
請求項２記載の発明は、前記光ディスク管理システムにおいて、前記外部メモリ機能部に記憶したＢＣＡ設備キー（ｂ）が、前記ＢＣＡコード記録装置が設置された工場の稼働日のみ、前記ＢＣＡコード記録を許可する機能部からのアクセスが可能に設定されていることを特徴とする。  
【０００８】
請求項３記載の発明は、ＢＣＡコード記録装置製造メーカのコンピュータが発行するＢＣＡコード記録装置毎の固有シリアルＩＤ（ａ）と、ライセンス管理団体のコンピュータが前記固有シリアルＩＤ（ａ）毎に発行して送信するＢＣＡ設備キー（ｂ）及び光ディスクに記録されるタイトル毎に発行して送信するメディアキー（ｃ）と、を入力とするＢＣＡコード記録装置がＢＣＡコードをＢＣＡ設備コントローラの制御によって光ディスクに記録する光ディスク管理システムの管理方法であって、  前記ＢＣＡコード記録装置に、前記固有シリアルＩＤ（ａ）を記憶する内蔵メモリ機能と、前記ライセンス管理団体のコンピュータからＢＣＡ設備キー（ｂ）を受信して記憶する外部メモリ機能を実行させ、  前記ＢＣＡ設備コントローラに、前記ライセンス管理団体のコンピュータから前記メディアキー（ｃ）を受信する機能と、光ディスクに記録されるタイトル毎に付与されたＢＣＡデータを記憶する機能と、前記内蔵メモリ機能によって記憶した固有シリアルＩＤ（ａ）と前記外部メモリ機能によって記憶したＢＣＡ設備キー（ｂ）とが所定の関係にあるときのみにＢＣＡコード記録を許可する機能と、前記受信したメディアキー（ｃ）と前記外部メモリ機能によって記憶したＢＣＡ設備キー（ｂ）とを基に特殊暗号キー（ｅ）をＢＣＡコード記録装置製造メーカのコンピュータに生成させ、前記生成した特殊暗号キー（ｅ）を前記ＢＣＡデータに含ませて光ディスクに記録させる機能とを実行させることによって、  前記ＢＣＡ設備コントローラが、前記内蔵メモリ機能によって記憶した固有シリアルＩＤ（ａ）とＢＣＡ設備キー（ｂ）とが所定の関係にあるときのみに前記特殊暗号キーｅを含ませたＢＣＡコード記録をＢＣＡコード記録装置に許可することを特徴とする。
【０００９】
請求項４記載の発明は、前記光ディスク管理方法において、前記外部メモリ機能によって記憶したＢＣＡ設備キー（ｂ）が、前記ＢＣＡコード記録装置が設置された工場の稼働日のみ、前記ＢＣＡコード記録を許可する機能からのアクセスが可能に設定されていることを特徴とする。
【発明の効果】
【００１０】
本発明は、ＢＣＡ設備コントローラが、ＢＣＡ記録装置製造メーカが装置毎に発行する固有シリアルＩＤ（ａ）と、ライセンス管理団体が前記固有シリアルＩＤ（ａ）を基に発行するＢＣＡ設備キー（ｂ）とが所定の関係にあるときのみにＢＣＡコード記録を許可するために、光ディスクの不正製造を防止することができる。
【発明を実施するための最良の形態】
【００１１】
以下、本発明の一実施形態による光ディスク管理システム及び光ディスク管理方法の一実施形態を図１を参照して詳細に説明する。  
【００１２】
本実施形態による光ディスク管理システムは、図１に示す如く、ＢＣＡコードを光ディスクに記録するＢＣＡコード記録装置３１を製造するＢＣＡ記録装置製造メーカ１０と、該メーカ１０が製造したＢＣＡコード記録装置３１を用い且つライセンス管理団体２０からの許可を得て光ディスクに対してＢＣＡコード及びタイトルに応じたデータ（音楽／映画その他データ）を記録するディスク製造メーカ３０と、映画等の光ディスク製造のライセンスを管理するライセンス管理団体２０と、前記ディスク製造メーカ３０が製造したＢＣＡコード付光ディスク６０を再生する光ディスク再生装置７０とによって構成される。この光ディスク再生装置７０は図示しない光ディスク再生装置メーカによって製造される。  
【００１３】
前記ＢＣＡコード記録装置製造メーカ１０は、製造したＢＣＡコード記録装置毎に固有シリアルＩＤ（ａ）を発行し、当該ＢＣＡコード記録装置の内蔵メモリ３２に登録すると共に、前記固有シリアルＩＤ（ａ）を前記ライセンス管理団体２０に報告する様に構成され、ライセンス管理団体２０は、前記ＢＣＡコード記録装置製造メーカから報告された固有シリアルＩＤ（ａ）を基にしたＢＣＡ設備キー（ｂ）の発行機能２１と、タイトル毎にメディアキー（ｃ）の発行機能２２と、前記ＢＣＡ設備キー（ｂ）とメディアキー（ｃ）を基にした認証キー（ｄ）の発行機能２３とを備える。  
【００１４】
前記光ディスク製造メーカ３０は、前記ＢＣＡコード記録装置製造メーカ１０が発行するＢＣＡコード記録装置毎の固有シリアルＩＤ（ａ）を格納する内蔵メモリを含むＢＣＡコード記録装置３１と、前記固有シリアルＩＤ（ａ）を基にライセンス管理団体２０が発行するＢＣＡ設備キー（ｂ）を通信網を介して受信することができる外部メモリ３７と、ライセンス管理団体２０がタイトル毎に発行するメディアキー（ｃ）を通信網を介して受信し且つタイトル毎に付与されたＢＣＡデータを格納するＢＣＡ設備コントローラ３８とを含む。  
【００１５】
前記ＢＣＡコード記録装置３１は、前記内蔵メモリ３２に格納した固有シリアルＩＤ（ａ）と外部メモリ３７に記憶したＢＣＡ設備キー（ｂ）とが所定の関係にあるときのみにＢＣＡコード記録を許可する許可機能３３と、該機能３３によりＢＣＡコード記録が許可されたとき、前記外部メモリ３７に格納したＢＣＡ設備キー（ｂ）とＢＣＡ設備コントローラ３８を介して入力したメディアキー（ｃ）とを基に特殊暗号キー（ｅ）を生成する暗号生成機能３４と、前記ＢＣＡ設備コントローラ３８に記憶したＢＣＡデータ３９に前記特殊暗号キー（ｅ）を含ませる混合機能３５と、該混合機能３５により特殊暗号キー（ｅ）を含ませたＢＣＡコードを光ディスクに記録するＢＣＡコード記録機能３６とを備える。尚、本実施形態で述べる「所定の関係」とは、例えば固有シリアルＩＤ（ａ）とＢＣＡ設備キー（ｂ）とを予め定めた演算式により演算したときの結果が一定値となる等の関係を意味する。  
【００１６】
本実施形態の対象となるＢＣＡコードは、光ディスクの内周トラックに沿って複数のバーコード状のマーク（縦線のバー）が並列され、該マークの間隔によって著作権表示等のデータを構成するものであり、このＢＣＡコードを構成するマークの記録位置は例えばＤＶＤ規格により定められており、この規格はディスク半径方向及びトラック方向に対して所定のマージンが定められている。このＢＣＡコードを記録するエリアは規約により定められているが物理的に余裕があり、この余裕エリアに前記特殊暗号キー（ｅ）を含ませることは容易である。また前記特殊暗号キー（ｅ）は、複数のマークから成るＢＣＡコードを、該複数マークの光ディスク半径方向位置及び又はトラック方向位置をＢＣＡコードとして認識可能な範囲で予め決められた手順で変調させたシークレットコードとして埋め込むこともできる。即ち、ＢＣＡコードが、ＢＣＡコードとして認識可能な範囲で変形させることができる特性を利用し、マーク長変化及び変形を利用して特殊暗号キー（ｅ）をシークレットコードとしてＢＣＡコード内に埋め込むこともできる。  
【００１７】
前記外部メモリ３７に格納されるＢＣＡ設備キー（ｂ）は、ディスク製造メーカ３０が正規の工場稼働日のみに外部からアクセス可能に設定されているか、所定の権限のある管理者のみによってアクセス可能に設定されている。
【００１８】
前記光ディスク再生装置７０は、光ディスク６０から再生したＢＣＡコードを再生する再生機能７１と、この再生したＢＣＡコードに含まれる特殊暗号キー（ｅ）と通信回線を介してライセンス管理団体２０から受信した認証キー（ｄ）とを比較し、両キー（ｄ）及び（ｅ）が予め定められた所定の関係か否かを判定し、所定の関係の場合に光ディスク６０が正規のタイトルと認証する認証機能７２と、該認証機能７２が正規のタイトルであることを認証した場合に光ディスク６０の再生を許可する許可機能７３と、前記認証機能７２が正規のタイトルでないと認証した場合に光ディスク６０の再生を不可とする再生不可機能７４とを備える。  
【００１９】
この様に構成された光ディスク管理システム及び光ディスク管理方法は、ＢＣＡコード記録装置３１が、ＢＣＡ記録装置製造メーカより発行され、内蔵メモリ３２に格納した固有シリアルＩＤ（ａ）と、ライセンス管理団体２０が前記固有シリアルＩＤ（ａ）を基に発行し、回線を通じて受信し、外部メモリ３７に格納したＢＣＡ設備キー（ｂ）とが所定の関係にあるときのみにＢＣＡコード記録を許可するために、光ディスクの不正製造を防止することができる。  
【００２０】
即ち、仮にディスク製造メーカ３０の従業員が、休日等に不正に光ディスク製造を試みたとしても、外部メモリ３７からＢＣＡ設備キー（ｂ）を読み込むことがでないため光ディスクの不正な製造を阻止することができる。また仮に管理者等の不正によって光ディスクが不正製造された場合、当該不正に製造された光ディスクのＢＣＡコードには、前記メディアキー（ｃ）とＢＣＡ設備キー（ｂ）とを基に生成された特殊暗号キー（ｅ）が含まれ、ライセンス管理団体２０等が前記特殊暗号キー（ｅ）を解読することによって、不正に光ディスクを製造したディスク製造メーカを特定することができる。  
【００２１】
更に本実施形態による光ディスク管理システム及び光ディスク管理方法は、光ディスク再生装置７０が、ライセンス管理団体２０から発行されたＢＣＡ設備キー（ｂ）とメディアキー（ｃ）とを基にした認証キー（ｄ）と、再生したＢＣＡデータに含まれ、ＢＣＡコード記録装置が前記ＢＣＡ設備キー（ｂ）とメディアキー（ｃ）とを基に生成した特殊暗号キー（ｅ）との関係が所定の関係にあるときのみに光ディスク再生を許可する様に構成したため、光ディスクの不正再生を防止することができる。
【図面の簡単な説明】
【００２２】
【図１】本発明の一実施形態による不正コピー発見システムを説明するための図。
【符号の説明】
【００２３】
１０：コード記録装置製造メーカ、２０：ライセンス管理団体、３０：光ディスク製造メーカ、３１：ＢＣＡコード記録装置、３２：内蔵メモリ、３７：外部メモリ、３８：ＢＣＡ設備コントローラ、６０：ＢＣＡコード付光ディスク、７０：光ディスク再生装置。 
【図１】
0004627421.tif 000002